(57)【要約】      （修正有）【課題】組立てる時、例えばＯリングやワッシャーの余計の隔離部品を必要とせず、封止効果が達成できる同軸ケーブルカプラの改良構造を提供すること。【解決手段】同軸ケーブルカプラの改良構造であり、ジョイント４０とスリーブ２０とから構成され、当該スリーブは、管軸と弾性リング２１とから構成され、当該弾性リングは、一端に、凹槽２３とフック部２２が設けられ、当該ジョイントにおいて、一端に、ストッパー４２が設けられ、また、内壁面に、ねじ４４とフランジ４１が設けられ、これにより、同軸ケーブルカプラを、同軸ケーブルと結合してから、当該ジョイントで、他の設備と結合する場合、ジョイントを最後まで螺着することにより、更に密着になるため、当該弾性リングのフック部とジョイントのストッパーとの接触面が、密着結合になり、これにより、隔離部品を必要しない、完全に封止することが実現できる。【選択図】図１
0003117133.tif 000002
【実用新案登録請求の範囲】
【請求項１】
内壁面に、ねじが設けられ、一端に、ストッパーが設けられるジョイントと
ガイド穴を有する管軸に弾性リングが嵌合されることにより構成され、当該弾性リングの一端に、凹槽とフック部とが設けられるスリーブと、
が含有され、
スリーブのフック部が、ジョイントのストッパーに係止されることにより、同軸ケーブルカプラの組立てが完成され、同軸ケーブルをスリーブに結合した後、ジョイントと他の設備にある雄ねじとを最後まで螺着することにより、カプラを更にロックし、管軸の端面が雄ねじの端面に抵当することにより、フック部とストッパーとの接触面が対向的に圧迫され、気密且つ防水できるカプラを形成する、ことを特徴とする同軸ケーブルカプラの改良構造。
【請求項２】
当該カプラは、Ｆ型カプラであって、その内壁面において、ねじとストッパーとの間に、更に、フランジと凹槽とが設けられる、ことを特徴とする請求項１に記載の同軸ケーブルカプラの改良構造。
【請求項３】
当該弾性リングの凹槽は、カプラのストッパーのサイズに合わせるサイズを持つ、ことを特徴とする請求項１に記載の同軸ケーブルカプラの改良構造。
【考案の詳細な説明】
【技術分野】
【０００１】
本考案は、隔離部品を必要しない、封止状態を実現できる同軸ケーブルカプラの改良構造に関し、特に、例えば、同軸ケーブルや類似する構造を有する信号転送のための線体に適合するものに関する。
【背景技術】
【０００２】
同軸ケーブルカプラは、今において良く使用されるものであり、Ｆ型同軸ケーブルカプラを例として、一般的に、補助インターフェースカプラに螺着されることにより、同軸ケーブルが、例えば、ＴＶやＣＢ、ＦＭラジオ及びアマチュア無線システム等の各種類の電子機器と、電気的に接続される。同軸カプラの主な作用として、同軸遮蔽体とカプラ本体との間を結合して、電気信号を転送する。
【０００３】
従来の同軸ケーブルカプラであるＦ同軸ケーブルカプラ１０は、図３のように、ピンチューブ１２と同軸にピンチューブ１２内に配置される柱形状部品１３とＯリング１５と柱形状部品１３の回りに配置されるナット１４とが含有されるカプラ本体１１がある。同軸ケーブルの自由端をカプラ本体１１の末端１６に挿入することにより、絶縁体１７と中心導体１１１が柱形状部品１３内に位置し、また、編物遮蔽体１８と外皮１９は、柱形状部品１３の外部とピンチューブ１２との間に配置され、ピンチューブ１２は、六角形押し工具により圧力が印加されて、強制的に、同軸ケーブルの外皮１９と封止的に結合される。
【０００４】
上記のカプラと同軸ケーブルとを組立てる時、例えば、Ｏリングやワッシャー等の隔離部品が必要し、また、図３のようなカプラは、Ｏリングだけでは封止の目的を達成できず、六角圧接工具でピンチューブに印加した圧力が均一的ではない場合、圧縮されない領域が発生すると、当該領域は、湿気が侵入する経路になる。侵入した湿気は、編物遮蔽体に接触する恐れがあるため、カプラの信号転送機能が低下されたり、水気が侵入することによる腐食が発生するから、信号転送に悪い影響を与える。また、従来の構造において、Ｏリングが圧迫され、変形して隙間を充填することにより、防水の効果が得られるが、部品を追加しなければならないため、コストが高くなる。
【０００５】
本考案者は、上記の欠点を解消するために、余計な隔離部品を必要しない、湿気を断絶し、気密効果が得られる同軸ケーブルカプラの改良構造を検討した。
【考案の開示】
【考案が解決しようとする課題】
【０００６】
本考案の主な目的は、組立てる時、例えばＯリングやワッシャーの余計の隔離部品を必要しなくて、封止効果が達成できる同軸ケーブルカプラの改良構造を提供する。
【課題を解決するための手段】
【０００７】
本考案は、上記の目的を達成するため、ジョイントとスリーブとから構成され、当該スリーブが、管軸と弾性リングとから構成され、当該弾性リングにおいて、一端に、凹槽とフック部が設けられ、当該ジョイントにおいて、一端に、ストッパーが設けられ、また、内壁面に、ねじとフランジが設けられ、これにより、本考案の同軸ケーブルカプラを、同軸ケーブルと結合してから、当該ジョイントで、他の設備と結合する時、ジョイントを最後まで螺着して圧迫することにより、当該弾性リングのフック部とジョイントのストッパーとの接触面が、密着結合になり、これにより、隔離部品を必要しない、完全に封止することが実現できる、同軸ケーブルカプラの改良構造である。
【０００８】
本考案の特点や具体的な実施例について、図面を参照しながら、詳しく説明する。
【考案を実施するための最良の形態】
【０００９】
図１を参照しながら、本考案は、主として、ジョイント４０とスリーブ２０とから構成され、当該ジョイント４０は、Ｆ型カプラとし、その外縁において、一端に六角体４５が形成され、当該六角体４５の端部に、内へ向かうストッパー４２が形成され、また、当該ジョイント４０の内壁面に、ねじ４４と１リングのフランジ４１が形成され、当該フランジ４１とストッパー４２との間に、凹槽４３が形成される。
【００１０】
当該スリーブ２０は、主として、弾性リング２１と管軸２４とから構成され、当該管軸２４において、一端に、係合縁２５と多数の段差部が設けられ、また、当該管軸２４は、弾性リング２１内に貫設され、当該弾性リング２１は、先端に、折り部が形成され、当該折り部の一端の外縁に、１リングの凹槽２３とフック部２２が設けられ、当該弾性リング２１の先端の凹槽２３とフック部２２は、管軸２４の段差部に位置付ける。
【００１１】
組立てる時、当該管軸２４の係合縁２５とカプラ４０の内壁のフランジ４１とが、互いに係止され、弾性リング２１の先端にあるフック部２２は、凹槽４３に位置し、ストッパー４２によって行き止められ、この時、フック部２２とストッパー４２との間に、隙間Ａがあり、同軸ケーブルをスリーブ２０(図に表示せず)に入れ込んだ後、ジョイント４０のめねじ４４と他の設備の雄ねじ５０と連結し、当該ジョイント４０を最後までロックして圧迫すると、管軸２４の表面が雄ねじ５０の端面に抵当し、これにより、ストッパー４２とフック部２２との接触面が、互いに圧迫され、図２のように、両者の間に存在した隙間Ａが無くされることにより、水気や埃等が侵入できないため、防水効果が得られる。
【００１２】
以上のように、本考案による構造は、次のような実用利点が得られる。    
【００１３】
１、簡素化された部品で、組立てる時、隔離部品を使わなくても、気密や防水の効果が得られる。
【００１４】
２、余計な隔離部品を設置する必要が無いため、当該同軸ケーブルカプラの組立ては、より便利的であり、コストの節約を実現できる。
【００１５】
以上のように、本考案は、予期の目的を達成できる同軸ケーブルカプラの改良構造を提供するため、その実用価値を否定することができないから、法に従って実用新案登録出願する。
【図面の簡単な説明】
【００１６】
【図１】本考案の実施例の組立て断面図
【図２】本考案の実施例の使用状態の拡大概念図
【図３】従来のＦ型カプラの使用状態の断面図
【符号の説明】
【００１７】
１１、カプラ本体
１１１、中心導体
１２、ピンチューブ
１３、柱形状部品
１４、ナット
１５、Ｏリング
１６、末端
１７、絶縁体
１８、編物遮蔽体
１９、外皮
２０、スリーブ
２１、弾性リング
２２、フック部
２３、凹槽
２４、管軸
２５、係合縁
４０、ジョイント
４１、フランジ
４２、ストッパー
４３、凹槽
４４、ねじ
４５、六角体
５０、雄ねじ
Ａ、隙間
【図１】
0003117133.tif 000003
【図２】
0003117133.tif 000004
【図３】
0003117133.tif 000005